(57)【特許請求の範囲】
【請求項１】
承認ＴＤＤ搬送波によるＤ２Ｄ通信に応用するＤ２Ｄ通信方法において、
第１ユーザ機器が、セルの未検出を確定すると、リソース配置用のＴＤＤ上り下り構成及びＤ２Ｄリソース配置ストラテジーを取得することと、
前記第１ユーザ機器が、前記ＴＤＤ上り下り構成及び前記Ｄ２Ｄリソース配置ストラテジーに基づいてＤ２Ｄリソースの割当を行うことと、
前記第１ユーザ機器が、割り当てられるＤ２Ｄリソースに基づいてＤ２Ｄ通信を行うこととを含み、
第１ユーザ機器が、セルの未検出を確定すると、リソース配置用のＴＤＤ上り下り構成及びＤ２Ｄリソース配置ストラテジーを取得することは、具体的に、
第１ユーザ機器が、セルの未検出を確定し且つ第２ユーザ機器からの同期信号を受信し、且つ前記第１ユーザ機器からの同期信号のプライオリティが第２ユーザ機器からの同期信号より高くなると、前記第１ユーザ機器に予め設定したＴＤＤ上り下り構成及び前記第１ユーザ機器に予め設定したＤ２Ｄリソース配置ストラテジーを取得し、
又は、
前記第１ユーザ機器が、セルの未検出を確定すると共に前記第２ユーザ機器からの同期信号を第１所定期間内に受信し、且つ前記第２ユーザ機器からの同期信号のプライオリティが前記第１ユーザ機器からの同期信号より高くなると、進行中のＤ２Ｄ信号の送信を停止させ、前記第１ユーザ機器に予め設定したＴＤＤ上り下り構成及び前記第１ユーザ機器に予め設定したＤ２Ｄリソース配置ストラテジーを用いた送信を停止させ、前記第２ユーザ機器のＴＤＤ上り下り構成及びＤ２Ｄリソース配置ストラテジーを前記リソース配置用のＴＤＤ上り下り構成及びＤ２Ｄリソース配置ストラテジーとして使用することを特徴とするＤ２Ｄ通信方法。
【請求項２】
前記第１ユーザ機器が、前記ＴＤＤ上り下り構成及び前記Ｄ２Ｄリソース配置ストラテジーに基づいてＤ２Ｄリソースの割当を行うことは、
前記第１ユーザ機器が、前記ＴＤＤ上り下り構成及び前記Ｄ２Ｄリソース配置ストラテジーに基づいて、Ｄ２Ｄ通信用の送信サブフレームが示される送信サブフレーム時間パターンを確定することと、
前記第１ユーザ機器が、前記送信サブフレーム時間パターンに基づいてＤ２Ｄ送信リソースを確定することと
を含むことを特徴とする請求項１に記載のＤ２Ｄ通信方法。
【請求項３】
前記第１ユーザ機器が、割り当てられるＤ２Ｄリソースに基づいてＤ２Ｄ通信を行った後に、Ｄ２Ｄ通信利用承認済みのＴＤＤ周波数点でセルを検出して駐留すると、進行中のＤ２Ｄ信号の送信を停止させ、前記第１ユーザ機器に予め設定したＴＤＤ上り下り構成及び前記第１ユーザ機器に予め設定したＤ２Ｄリソース配置ストラテジーを用いた送信を停止させることと、
前記第１ユーザ機器が、駐留中セルのＴＤＤ上り下り構成及びセルのシステム放送メッセージから取得したＤ２Ｄリソースプールに基づいてＤ２Ｄリソースの割当を行い、割り当てられたＤ２Ｄリソースに基づいてＤ２Ｄ信号の送信を行うことと
を更に含むことを特徴とする請求項１に記載のＤ２Ｄ通信方法。
【請求項４】
前記第１ユーザ機器が、駐留中の第１セルとは非同期であり、且つ第２所定期間中、Ｄ２Ｄ通信利用承認済みのＴＤＤ周波数点で第２セルを検出して駐留すると、進行中のＤ２Ｄ信号の送信を停止させ、前記第１ユーザ機器に予め設定したＴＤＤ上り下り構成及びＤ２Ｄリソース配置ストラテジーを用いた送信を停止させることと、
前記第１ユーザ機器が、前記第２セルのＴＤＤ上り下り構成及びセルのシステム放送メッセージから取得したＤ２Ｄリソースプールに基づいてＤ２Ｄリソースの割当を行い、割り当てられたＤ２Ｄリソースに基づいてＤ２Ｄ信号の送信を行うことと
を更に含むことを特徴とする請求項３に記載のＤ２Ｄ通信方法。
【請求項５】
前記第１ユーザ機器が、駐留中のセルとは非同期であり、且つ第２所定期間内に他セルの検出ができず、且つＤ２Ｄ通信利用承認済みのＴＤＤ周波数点での第３ユーザ機器からの同期信号を受信すると、進行中のＤ２Ｄ信号の送信を停止させ、前記第１ユーザ機器に予め設定したＴＤＤ上り下り構成及び前記第１ユーザ機器に予め設定したＤ２Ｄリソース配置ストラテジーを用いた送信を停止させ、前記第３ユーザ機器のＴＤＤ上り下り構成及びＤ２Ｄリソース配置ストラテジーを用いてＤ２Ｄリソースの割当を行い、割り当てられたＤ２Ｄリソースに基づいてＤ２Ｄ信号の送信を行うことを更に含むことを特徴とする請求項３に記載のＤ２Ｄ通信方法。
【請求項６】
前記第１ユーザ機器が、駐留中のセルとは非同期であり、且つ第２所定期間内に他セルの検出ができず、且つＤ２Ｄ通信利用承認済みのＴＤＤ周波数点での第３ユーザ機器から同期信号を受信していないと、第３所定期間後、前記第１ユーザ機器に予め設定したＴＤＤ上り下り構成及びＤ２Ｄリソース配置ストラテジーに基づいてＤ２Ｄリソースの割当を行い、割り当てられたＤ２Ｄリソースに基づいてＤ２Ｄ信号の通信を行うことを更に含むことを特徴とする請求項３に記載のＤ２Ｄ通信方法。
【請求項７】
承認ＴＤＤ搬送波によるＤ２Ｄ通信に応用するＤ２Ｄ通信装置において、
セルの未検出を確定すると、リソース配置用のＴＤＤ上り下り構成及びＤ２Ｄリソース配置ストラテジーを取得するための取得ユニットと、
前記ＴＤＤ上り下り構成及び前記Ｄ２Ｄリソース配置ストラテジーに基づいてＤ２Ｄリソースの割当を行うためのＤ２Ｄリソース割当ユニットと、
割り当てられるＤ２Ｄリソースに基づいてＤ２Ｄ通信を行うための通信ユニットとを含み、
前記取得ユニットは、具体的に、
第１ユーザ機器がセルの未検出を確定し且つ第２ユーザ機器からの同期信号を受信し、且つ第１ユーザ機器からの同期信号のプライオリティが第２ユーザ機器からの同期信号より高くなると、前記第１ユーザ機器に予め設定したＴＤＤ上り下り構成及び前記第１ユーザ機器に予め設定したＤ２Ｄリソース配置ストラテジーを取得すること、
又は、
前記第１ユーザ機器がセルの未検出を確定すると共に前記第２ユーザ機器からの同期信号を第１所定期間内に受信し、且つ前記第２ユーザ機器からの同期信号のプライオリティが前記第１ユーザ機器からの同期信号より高くなると、前記第１ユーザ機器が、進行中のＤ２Ｄ信号の送信を停止させ、前記第１ユーザ機器に予め設定したＴＤＤ上り下り構成及び前記第１ユーザ機器に予め設定したＤ２Ｄリソース配置ストラテジーを用いた送信を停止させ、前記第２ユーザ機器のＴＤＤ上り下り構成及びＤ２Ｄリソース配置ストラテジーを前記リソース配置用のＴＤＤ上り下り構成及びＤ２Ｄリソース配置ストラテジーとして使用することに用いられることを特徴とするＤ２Ｄ通信装置。
【請求項８】
前記Ｄ２Ｄリソース割当ユニットは、
前記第１ユーザ機器が、前記ＴＤＤ上り下り構成及び前記Ｄ２Ｄリソース配置ストラテジーに基づいて、Ｄ２Ｄ通信用の送信サブフレームが示される送信サブフレーム時間パターンを確定することと、
前記第１ユーザ機器が、前記送信サブフレーム時間パターンに基づいてＤ２Ｄ送信リソースを確定することに用いられることを特徴とする請求項７に記載のＤ２Ｄ通信装置。
【請求項９】
前記通信ユニットは、
前記第１ユーザ機器が、割り当てられるＤ２Ｄリソースに基づいてＤ２Ｄ通信を行った後に、Ｄ２Ｄ通信利用承認済みのＴＤＤ周波数点でセルを検出して駐留すると、進行中のＤ２Ｄ信号の送信を停止させ、前記第１ユーザ機器に予め設定したＴＤＤ上り下り構成及び前記第１ユーザ機器に予め設定したＤ２Ｄリソース配置ストラテジーを用いた送信を停止させることと、
前記第１ユーザ機器が、駐留中セルのＴＤＤ上り下り構成及びセルのシステム放送メッセージから取得したＤ２Ｄリソースプールに基づいてＤ２Ｄリソースの割当を行い、割り当てられたＤ２Ｄリソースに基づいてＤ２Ｄ信号の送信を行うことに用いられることを特徴とする請求項７に記載のＤ２Ｄ通信装置。
【請求項１０】
前記通信ユニットは、
駐留中の第１セルとは非同期であり、且つ第２所定期間中、Ｄ２Ｄ通信利用承認済みのＴＤＤ周波数点で第２セルを検出して駐留すると、進行中のＤ２Ｄ信号の送信を停止させ、前記第１ユーザ機器に予め設定したＴＤＤ上り下り構成及びＤ２Ｄリソース配置ストラテジーを用いた送信を停止させ、
前記第２セルのＴＤＤ上り下り構成及びセルのシステム放送メッセージから取得したＤ２Ｄリソースプールに基づいてＤ２Ｄリソースの割当を行い、割り当てられたＤ２Ｄリソースに基づいてＤ２Ｄ信号の送信を行うことに用いられることを特徴とする請求項９に記載のＤ２Ｄ通信装置。
【請求項１１】
前記通信ユニットは、
前記第１ユーザ機器が、駐留中のセルとは非同期であり、且つ第２所定期間内に他セルの検出ができず、且つＤ２Ｄ通信利用承認済みのＴＤＤ周波数点での第３ユーザ機器からの同期信号を受信すると、進行中のＤ２Ｄ信号の送信を停止させ、前記第１ユーザ機器に予め設定したＴＤＤ上り下り構成及び前記第１ユーザ機器に予め設定したＤ２Ｄリソース配置ストラテジーを用いた送信を停止させ、前記第３ユーザ機器のＴＤＤ上り下り構成及びＤ２Ｄリソース配置ストラテジーを用いてＤ２Ｄリソースの割当を行い、割り当てられたＤ２Ｄリソースに基づいてＤ２Ｄ信号の送信を行うことに用いられることを特徴とする請求項９に記載のＤ２Ｄ通信装置。
【請求項１２】
前記通信ユニットは、
前記第１ユーザ機器が、駐留中のセルとは非同期であり、且つ第２所定期間内に他セルの検出ができず、且つＤ２Ｄ通信利用承認済みのＴＤＤ周波数点での第３ユーザ機器から同期信号を受信していないと、第３所定期間後、前記第１ユーザ機器に予め設定したＴＤＤ上り下り構成及びＤ２Ｄリソース配置ストラテジーに基づいてＤ２Ｄリソースの割当を行い、割り当てられたＤ２Ｄリソースに基づいてＤ２Ｄ信号の通信を行うことに用いられることを特徴とする請求項９に記載のＤ２Ｄ通信装置。
【請求項１３】
プロセッサと、
バスインタフェースを介して前記プロセッサに接続し、前記プロセッサの操作実行に使用されるプログラムとデータを格納するためのメモリとを含むＤ２Ｄ通信装置であって、
プロセッサが前記メモリに格納されているプログラムとデータを呼び出して実行するときに、
セルの未検出を確定すると、リソース配置用のＴＤＤ上り下り構成及びＤ２Ｄリソース配置ストラテジーを取得するための取得ユニットと、
前記ＴＤＤ上り下り構成及び前記Ｄ２Ｄリソース配置ストラテジーに基づいてＤ２Ｄリソースの割当を行うためのＤ２Ｄリソース割当ユニットと、
割り当てられるＤ２Ｄリソースに基づいてＤ２Ｄ通信を行うための通信ユニットとを実現し、
前記取得ユニットは、具体的に、
第１ユーザ機器がセルの未検出を確定し且つ第２ユーザ機器からの同期信号を受信し、且つ第１ユーザ機器からの同期信号のプライオリティが第２ユーザ機器からの同期信号より高くなると、前記第１ユーザ機器に予め設定したＴＤＤ上り下り構成及び前記第１ユーザ機器に予め設定したＤ２Ｄリソース配置ストラテジーを取得すること、
又は、
前記第１ユーザ機器がセルの未検出を確定すると共に前記第２ユーザ機器からの同期信号を第１所定期間内に受信し、且つ前記第２ユーザ機器からの同期信号のプライオリティが前記第１ユーザ機器からの同期信号より高くなると、前記第１ユーザ機器が、進行中のＤ２Ｄ信号の送信を停止させ、前記第１ユーザ機器に予め設定したＴＤＤ上り下り構成及び前記第１ユーザ機器に予め設定したＤ２Ｄリソース配置ストラテジーを用いた送信を停止させ、前記第２ユーザ機器のＴＤＤ上り下り構成及びＤ２Ｄリソース配置ストラテジーを前記リソース配置用のＴＤＤ上り下り構成及びＤ２Ｄリソース配置ストラテジーとして使用することに用いられることを特徴とするＤ２Ｄ通信装置。
【発明の詳細な説明】
【技術分野】
【０００２】
本発明は、移動通信技術分野に関し、特にＤ２Ｄ通信方法及び装置に関する。
【背景技術】
【０００３】
伝統的なセルラー通信技術において、２つのユーザ機器は、それぞれ駐留する基地局及びコアネットワークにより、音声やデータなどのインタラクションが行われる。ユーザ機器同士の距離が近いとき、Ｄ２Ｄ（Ｄｅｖｉｃｅ−ｔｏ−Ｄｅｖｉｃｅ）技術により、ユーザ機器同士のインタラクションが行われる。Ｄ２Ｄ技術とは、近隣のユーザ機器が近距離範囲内で直接接続リンクによりデータ伝送を行うことができる方式であり、中心ノードによる転送を必要としない。
【０００４】
Ｄ２Ｄ技術は、自身の短距離通信特徴と直接通信方式により、以下の利点を有する。ＵＥの近距離直接通信方式により、データレートが高くなり、遅延が低くなり、電力損失が低くなる。また、ネットワークに広く分布するＵＥ及びＤ２Ｄ通信リンクの短距離特徴を利用し、スペクトルリソースの有効利用が図れる。また、Ｄ２Ｄの直接通信方式は、ローカルデータ共有リクエストに適応することができ、柔軟な適応力を有するデータサービスを提供することができる。また、Ｄ２Ｄ直接通信は、膨大な数でネットワークに広く分布するＵＥを利用し、ネットワークのカバー範囲を拡大させることができる。
【０００５】
ＬＴＥ（Ｌｏｎｇ  Ｔｅｒｍ  Ｅｖｏｌｕｔｉｏｎ）ネットワークにおいて、Ｄ２Ｄ通信は、ＬＴＥの承認周波数帯域で、ＬＴＥネットワークに制御されるＤ２Ｄ通信を指し、Ｄ２Ｄ通信の利点が十分に発揮されると同時に、例えば干渉制御不可という伝統的Ｄ２Ｄ通信の一部問題を、Ｄ２Ｄ通信へＬＴＥネットワークの制御により克服することができる。
【０００６】
ユーザ機器は、図１に示すような網内シナリオ、図２に示すような網外シナリオ、図３に示すような一部網内シナリオの３種類のシナリオで、Ｄ２Ｄ通信を行う。
【０００７】
ユーザ機器のＤ２Ｄ通信において、既存の移動ネットワークへの干渉回避、そしてスペクトルリソースの調和使用保証のために、ＦＤＤ（Ｆｒｅｑｕｅｎｃｙ  Ｄｉｖｉｓｉｏｎ  Ｄｕｐｌｅｘｉｎｇ）システムの場合、Ｄ２Ｄ通信が上り搬送波でしか行われず、ＴＤＤ（Ｔｉｍｅ  Ｄｉｖｉｓｉｏｎ  Ｄｕｐｌｅｘｉｎｇ）システムの場合、ユーザ機器が網内シナリオで上りサブフレームしか採用できない。
【０００８】
網外シナリオ及び一部網内シナリオでのユーザ機器が、ＴＤＤ搬送波でのＤ２Ｄ通信に必要とするＤ２Ｄリソースをどのように確定するかは、解決されるべき問題でありながら、いまだ具体的な提案がない。
【発明の概要】
【発明が解決しようとする課題】
【０００９】
本発明の実施例は、Ｄ２Ｄ通信方法及び装置を提供し、網外でどのようにＴＤＤ搬送波でのＤ２Ｄ通信に必要とするＤ２Ｄリソースを確定するかという従来技術の問題を解決する。
【課題を解決するための手段】
【００１０】
本発明の実施例は、承認ＴＤＤ搬送波によるＤ２Ｄ通信に応用するＤ２Ｄ通信方法を提供する。当該方法において、第１ユーザ機器が、セルの未検出を確定すると、リソース配置用のＴＤＤ上り下り構成及びＤ２Ｄリソース配置ストラテジーを取得することと、前記第１ユーザ機器が、前記ＴＤＤ上り下り構成及び前記Ｄ２Ｄリソース配置ストラテジーに基づいてＤ２Ｄリソースの割当を行うことと、前記第１ユーザ機器が、割り当てられるＤ２Ｄリソースに基づいてＤ２Ｄ通信を行うこととを含む。
【００１１】
本発明の実施例は、承認ＴＤＤ搬送波によるＤ２Ｄ通信に応用するＤ２Ｄ通信装置を提供する。当該装置は、セルの未検出を確定すると、リソース配置用のＴＤＤ上り下り構成及びＤ２Ｄリソース配置ストラテジーを取得するための取得ユニットと、前記ＴＤＤ上り下り構成及び前記Ｄ２Ｄリソース配置ストラテジーに基づいてＤ２Ｄリソースの割当を行うためのＤ２Ｄリソース割当ユニットと、割り当てられるＤ２Ｄリソースに基づいてＤ２Ｄ通信を行うための通信ユニットとを含む。
【００１２】
本発明の実施例は、プロセッサと、バスインタフェースを介して前記プロセッサに接続し、前記プロセッサの操作実行に使用されるプログラムとデータを格納するためのメモリとを含むＤ２Ｄ通信装置を提供し、プロセッサが前記メモリに格納されているプログラムとデータを呼び出して実行するときに、セルの未検出を確定すると、リソース配置用のＴＤＤ上り下り構成及びＤ２Ｄリソース配置ストラテジーを取得するための取得ユニットと、前記ＴＤＤ上り下り構成及び前記Ｄ２Ｄリソース配置ストラテジーに基づいてＤ２Ｄリソースの割当を行うためのＤ２Ｄリソース割当ユニットと、割り当てられるＤ２Ｄリソースに基づいてＤ２Ｄ通信を行うための通信ユニットとを実現する。
【発明の効果】
【００１３】
上述の実施例において、ユーザ機器は、セルの未検出を確定すると、当該ユーザ機器に予め設定したＤ２Ｄリソース配置ストラテジーを取得する。この方法により、網外のユーザ機器は、ＴＤＤ搬送波において、当該ユーザ機器の通信時のフレーム構造タイプを明確化することができる。そして、ＴＤＤシステムに干渉を与えない場合、Ｄ２Ｄ通信の効率保証及びリソース競争の衝突確率をある程度低減できる。
【図面の簡単な説明】
【００１４】
【図１】ユーザ機器の網内シナリオの模式図である。
【図２】ユーザ機器の網外シナリオの模式図である。
【図３】ユーザ機器の一部網内シナリオの模式図である。
【図４】本発明の実施例におけるＤ２Ｄ通信方法のフローチャートである。
【図５】本発明の実施例におけるＤ２Ｄ通信装置の構造図である。
【発明を実施するための形態】
【００１５】
本発明の目的、技術手段及び利点をより明確にするために、以下、図面を参照して本発明を更に詳細に記載する。明らかに、記載する実施例は、本発明の実施例の一部であり、全てではない。当業者により本発明の実施例に基づいて創造性のある作業をせずに為しえる全ての他の実施例は、本発明の保護範囲に属する。
【００１６】
以下、明細書の図面を参照して本発明の実施例を詳細に記載する。
【００１７】
本発明の実施例に記載するＤ２Ｄ通信方法及び装置は、承認ＴＤＤ搬送波によるＤ２Ｄ通信に応用する。承認ＴＤＤ搬送波とは、ＴＤＤシステムの承認周波数帯域での搬送波である。なお、本発明の実施例における同期信号は、狭義の同期信号と、広義の同期信号に理解される。ここで、狭義の同期信号は、同期信号そのものである。広義の同期信号は、同期信号と同期チャネルを含み、同期信号のプライオリティ識別情報、ＴＤＤ上り下り構成などＤ２Ｄリソース配置ストラテジーを含む。
【００１８】
図４は、本発明の実施例のＤ２Ｄ通信方法のフローチャートであり、以下のステップを含む。
【００１９】
ステップ４０１において、第１ユーザ機器は、セルの未検出を確定すると、リソース配置用のＴＤＤ上り下り構成及びＤ２Ｄリソース配置ストラテジーを取得する。
【００２０】
本ステップにおいて、第１ユーザ機器がセルの未検出を確定することは、複数の具体的なシナリオを含み、具体的に、第１ユーザ機器が、セルの未検出を確定し且つ第２ユーザ機器からの同期信号を受信していないことや、第１ユーザ機器が、セルの未検出を確定し且つ第２ユーザ機器からの同期信号を受信し、且つ第１ユーザ機器からの同期信号のプライオリティが第２ユーザ機器からの同期信号より高いことや、第１ユーザ機器が、セルの未検出を確定すると共にプライオリティの高い前記第２ユーザ機器からの同期信号を受信し、且つ第２ユーザ機器からの同期信号のプライオリティが第１ユーザ機器からの同期信号より高いことを含む。
【００２１】
シナリオによっては、リソース配置用のＴＤＤ上り下り構成及びリソース配置用のＤ２Ｄリソース配置ストラテジーの取得方式が異なる。具体的に、第１ユーザ機器が、セルの未検出を確定し且つ第２ユーザ機器からの同期信号を受信していない場合、又は、第１ユーザ機器が、セルの未検出を確定し且つ第２ユーザ機器からの同期信号を受信し、且つ前記第１ユーザ機器からの同期信号のプライオリティが前記第２ユーザ機器からの同期信号より高くなる場合、前記第１ユーザ機器に予め設定したＴＤＤ上り下り構成及び前記第１ユーザ機器に予め設定したＤ２Ｄリソース配置ストラテジーを取得する。前記第１ユーザ機器が、セルの未検出を確定し且つ第２ユーザ機器からの同期信号のプライオリティが前記第１ユーザ機器からの同期信号より高く、且つ前記第２ユーザ機器からの同期信号を第１所定期間内に受信した場合、前記第２ユーザ機器のＴＤＤ上り下り構成及び前記第２ユーザ機器のＤ２Ｄリソース配置ストラテジーをリソース配置用のＴＤＤ上り下り構成及びＤ２Ｄリソース配置ストラテジーとする。
【００２２】
ステップ４０２において、前記第１ユーザ機器は、前記ＴＤＤ上り下り構成及び前記Ｄ２Ｄリソース配置ストラテジーに基づいてＤ２Ｄリソースの割当を行う。
【００２３】
ステップ４０３において、前記第１ユーザ機器は、割り当てられるＤ２Ｄリソースに基づいてＤ２Ｄ通信を行う。
【００２４】
上記フローのステップ４０１において、前記セルは、セルラーシステム（ＴＤＤシステム及び／又はＦＤＤシステムを含む）のセルである。第１ユーザ機器は、いずれのセルラーシステムセルも検出していない場合、網外シナリオ又は一部網内シナリオにある可能性がある。
【００２５】
例えば、第１ユーザ機器が、電源投入後一定の所定期間内にいずれのセルラーシステムセルも検出していない場合、当該第１ユーザ機器が網外シナリオにあることを示す。即ち、当該第１ユーザ機器は、いずれのセルラーシステムに接続する条件を具備しないと考えられる。ここで、当該所定期間は、第１ユーザ機器が電源投入又は再起動の後にセルラーシステムセルのサーチにかかる継続時間である。
【００２６】
また例えば、第１ユーザ機器は、１つのセルラーシステムセルに駐留するが、当該セルとは非同期であり、且つ一定の所定期間内に他のいずれのセルラーシステムセルも検出できない。この場合、当該第１ユーザ機器が一部網内シナリオにあることを示す。
【００２７】
具体的に、第１ユーザ機器は、網外や一部網内シナリオにある場合、第２ユーザ機器からの同期信号を受信していない。このシナリオで、第１ユーザ機器は、第１ユーザ機器に予め設定したＴＤＤ上り下り構成及び第１ユーザ機器に予め設定したＤ２Ｄリソース配置ストラテジーを使用してＤ２Ｄリソースの割当を行い、割り当てられたＤ２Ｄリソースに基づいてＤ２Ｄ信号の送信を行う。上記過程は、Ｄ２Ｄ信号の受信中に継続して行われる。
【００２８】
又は、第１ユーザ機器は、網外や一部網内シナリオにある場合、第２ユーザ機器からの同期信号を受信し、第１ユーザ機器からの同期信号のプライオリティが前記第２ユーザ機器からの同期信号より高い。このシナリオで、第１ユーザ機器は、第１ユーザ機器に予め設定したＴＤＤ上り下り構成及び第１ユーザ機器に予め設定したＤ２Ｄリソース配置ストラテジーを使用してＤ２Ｄリソースの割当を行い、割り当てられたＤ２Ｄリソースに基づいてＤ２Ｄ信号の送信を行う。上記過程には、Ｄ２Ｄ信号の受信を継続して行われる。
【００２９】
又は、第１ユーザ機器は、網外や一部網内シナリオにある場合、第２ユーザ機器からの同期信号を受信し、且つ第２ユーザ機器からの同期信号のプライオリティが第１ユーザ機器からの同期信号より高い。このシナリオで、第１ユーザ機器は、第２ユーザ機器のＴＤＤ上り下り構成及び第２ユーザ機器のＤ２Ｄリソース配置ストラテジーを使用してＤ２Ｄリソースの割当を行い、割り当てられたＤ２Ｄリソースに基づいてＤ２Ｄ信号の送信を行う。
【００３０】
上記フローにおいて、前記第１ユーザ機器に予め設定したＤ２Ｄリソース配置ストラテジーは、送信サブフレーム時間パターンを含む。当該送信サブフレーム時間パターンは、予め設定したＴＤＤ上り下り構成により決まる。ここで、前記ＴＤＤ上り下り構成は、上り伝送に用いる上りサブフレームと、下り伝送に用いる下りサブフレームの設定割合であり、上り下り構成モード０〜７を含む。
【００３１】
前記送信サブフレーム時間パターンは、インデックス方式で識別され、インデックス値の範囲が１２８以下であり、各インデックス値が１つの送信サブフレーム時間パターンにマッピングされる。送信サブフレーム時間パターンは、長さＮのビットマップ（ｂｉｔｍａｐ）であり、各ビットが１つのサブフレームに対応する。当該ビットマップの中で、１に対応するサブフレームは、Ｄ２Ｄ信号の送信が行われるサブフレームであり、０に対応するサブフレームは、Ｄ２Ｄ信号の送信が行われないサブフレームであり、１つの送信サブフレーム時間パターンの中の送信機会数は、ｋで示す。更に、送信サブフレーム時間パターンであるビットマップの長さＮ、及び、送信機会数ｋの取り得る値は、予め設定したＤ２Ｄリソース配置ストラテジーに含まれてもよい。
【００３２】
ｋは、｛１，２，４，８｝のうちの１つである。ＴＤＤシステムの場合、異なるＴＤＤ上り下り構成のＮは、異なる値を取り得る。例えば、上り下り構成モード０の場合、Ｎが７であり、上り下り構成モード１、２、４又は５の場合、Ｎが８であり、上り下り構成モード３又は６の場合、Ｎが６である。
【００３３】
更に、第１ユーザ機器にＴＤＤ上り下り構成を予め設定する。第１ユーザ機器に予め設定したＴＤＤ上り下り構成は、第１ユーザ機器がサポートするＤ２Ｄプロトコル及び第１ユーザ機器が使用するＰＬＭＮ（Ｐｕｂｌｉｃ  Ｌａｎｄ  Ｍｏｂｉｌｅ  Ｎｅｔｗｏｒｋ）内のＴＤＤ上り下り構成により確定される。又は、固定したＴＤＤ上り下り構成を予め設定してもよい。例えば、ＴＤＤ上り下り構成モード０の場合、サブフレーム０、１、５、６は、下り又は特殊サブフレームである。
【００３４】
上記フローが網外シナリオに対するものであることを考慮し、当該シナリオで、第１ユーザ機器のＤ２Ｄ通信によりセルラーシステムに干渉を与えないとみなすことができる。従って、第１ユーザ機器に予め設定したＤ２Ｄリソース配置ストラテジーが実施可能であり、当該第１ユーザ機器は、上りサブフレームと下りサブフレームを用いてＤ２Ｄ伝送を行う。また、第１ユーザ機器は、ＴＤＤ上り下り構成の中の、上りサブフレームと下りサブフレームを含んだ連続サブフレームを使用してＤ２Ｄ伝送をしてもよい。このように、Ｄ２Ｄ通信のリソース利用率向上に有利であり、しかも競争リソースの衝突確率を低下させる。
【００３５】
ステップ４０２において、第１ユーザ機器は、前記ＴＤＤ上り下り構成及びＤ２Ｄリソース配置ストラテジーに基づいて、Ｄ２Ｄ通信用の送信サブフレームが示される送信サブフレーム時間パターンを確定する。第１ユーザ機器は、送信サブフレーム時間パターンに基づいてＤ２Ｄ送信リソースを確定する。
【００３６】
更に、ＴＤＤの場合、第１ユーザ機器は、網内で通信するとき、上りサブフレームのみの使用可能がＤ２Ｄリソース配置ストラテジーにより指示されるが、網外で通信するとき、ＴＤＤ上り下り構成の中の、上りサブフレームと下りサブフレームを含んだ連続サブフレームの使用可能がＤ２Ｄリソース配置ストラテジーにより指示される。
【００３７】
更に、第１ユーザ機器に予め設定したＴＤＤ上り下り構成は、必要に応じて修正することができる。
【００３８】
以上のフローにより、網外シナリオでのＤ２Ｄリソース割当及びＤ２Ｄ伝送過程を記載したが、ユーザ機器の移動を考慮し、しかもネットワーク環境が複雑であるため、本発明の実施例は、以下数種類の異なるシナリオでの切り替えを提案する。以下、シナリオ間切り替えのケースをそれぞれ記載する。
【００３９】
ケース１：
第１ユーザ機器は、網外シナリオにあり、同期信号のプライオリティが高い第２ユーザ機器からの同期信号を受信する。
当該シナリオで、第１ユーザ機器は、進行中のＤ２Ｄ信号の送信を停止させ、同時に第２ユーザ機器のＴＤＤ上り下り構成及び第２ユーザ機器のＤ２Ｄリソース配置ストラテジーを用いてＤ２Ｄリソースの割当を行い、割り当てられたＤ２Ｄリソースに基づいてＤ２Ｄ信号の送信を行う。上記過程中、Ｄ２Ｄ信号の受信が継続して行われる。
ここで、第１ユーザ機器は、第２ユーザ機器からの信号より、第２ユーザ機器のＴＤＤ上り下り構成及びＤ２Ｄリソース配置ストラテジーを取得することができる。ここで、ＴＤＤ上り下り構成及びＤ２Ｄリソース配置ストラテジーの意味は、前述の通りであり、ここで繰り返して記載しない。ネットワークコスト節約のため、第２ユーザ機器は、送信サブフレーム時間パターンのインデックスを送信することにより、第１ユーザ機器による対応送信サブフレーム時間パターンの受信を可能にする。
【００４０】
ケース２：
第１ユーザ機器は、網外シナリオにあり、Ｄ２Ｄ通信利用承認済みのＴＤＤ周波数ポイントでセルを検出して駐留する。
当該シナリオで、第１ユーザ機器は、進行中のＤ２Ｄ信号の送信を停止させ、前記第１ユーザ機器に予め設定したＴＤＤ上り下り構成及びＤ２Ｄリソース配置ストラテジーの使用を停止し、そして、駐留中セルのＴＤＤ上り下り構成及びセルのシステム放送メッセージから取得したＤ２Ｄリソースプールに基づいてＤ２Ｄリソースの割当を行い、割り当てられたＤ２Ｄリソースに基づいてＤ２Ｄ信号の送信を行う。
例えば、当該シナリオで、第１ユーザ機器は、当該セルのＴＤＤ上り下り構成を確定し、当該セルのシステム放送メッセージからＤ２Ｄリソースプールを取得する。第１ユーザ機器は、Ｄ２Ｄ通信時に、当該セルのＴＤＤ上り下り構成を用い、当該セルのＤ２Ｄリソースプールに基づいてＤ２Ｄリソースの割当を行う。
【００４１】
ケース３：
第１ユーザ機器は、駐留中の第１セルとは非同期であり、且つ所定期間中、Ｄ２Ｄ通信利用承認済みのＴＤＤ周波数ポイントで第２セルを検出して駐留する。
この場合、第１ユーザ機器は、進行中のＤ２Ｄ信号の送信を停止させ、前記第１ユーザ機器に予め設定したＴＤＤ上り下り構成及びＤ２Ｄリソース配置ストラテジーの使用を停止し、そして、前記第２セルのＴＤＤ上り下り構成及びセルのシステム放送メッセージから取得したＤ２Ｄリソースプールに基づいてＤ２Ｄリソースの割当を行い、割り当てられたＤ２Ｄリソースに基づいてＤ２Ｄ信号の送信を行う。
例えば、第１ユーザ機器は、当該第２セルのＴＤＤ上り下り構成を確定し、当該第２セルのシステム放送メッセージからＤ２Ｄリソースプールを取得する。第１ユーザ機器は、Ｄ２Ｄ通信時に、当該第２セルのＴＤＤ上り下り構成を用い、当該第２セルのＤ２Ｄリソースプールに基づいてＤ２Ｄリソースの割当を行う。
【００４２】
ケース４：
前記第１ユーザ機器は、駐留中のセルとは非同期であり、且つ第２所定期間内に他セルの検出ができず、且つＤ２Ｄ通信利用承認済みのＴＤＤ周波数ポイントでの第３ユーザ機器からの同期信号を受信する。
この場合、第１ユーザ機器は、進行中のＤ２Ｄ信号の送信を停止させ、前記第３ユーザ機器のＴＤＤ上り下り構成及びＤ２Ｄリソース配置ストラテジーを用いてＤ２Ｄリソースの割当を行い、割り当てられたＤ２Ｄリソースに基づいてＤ２Ｄ信号の送信を行う。
ここで、第１ユーザ機器は、第３ユーザ機器からの信号より、第３ユーザ機器のＴＤＤ上り下り構成及びＤ２Ｄリソース配置ストラテジーを取得することができる。ここで、ＴＤＤ上り下り構成及びＤ２Ｄリソース配置ストラテジーの意味は、前述の通りであり、ここで繰り返して記載しない。ネットワークコスト節約のため、第３ユーザ機器は、送信サブフレーム時間パターンのインデックスを送信することにより、第１ユーザ機器による対応送信サブフレーム時間パターンの受信を可能にする。
【００４３】
ケース５：
第１ユーザ機器は、駐留中のセルとは非同期であり、且つ第２所定期間内に他セルの検出ができず、且つＤ２Ｄ通信利用承認済みのＴＤＤ周波数ポイントでの第３ユーザ機器から同期信号を受信していない。
この場合、第１ユーザ機器は、第３所定期間後、前記第１ユーザ機器に予め設定したＴＤＤ上り下り構成及びＤ２Ｄリソース配置ストラテジーに基づいてＤ２Ｄリソースの割当を行い、割り当てられたＤ２Ｄリソースに基づいてＤ２Ｄ信号の送信を行う。当該過程の具体的な実施は、図４のフローチャートが参照される。上記方法のフローに対し、本発明の実施例は、Ｄ２Ｄ通信装置を更に提供する。当該装置の具体的な内容は、上記方法の実施が参照されるので、ここで繰り返して記載しない。
【００４４】
図５に示すように、本発明の実施例は、承認ＴＤＤ搬送波によるＤ２Ｄ通信に応用するＤ２Ｄ通信装置を提供する。当該装置は、セルの未検出を確定すると、リソース配置用のＴＤＤ上り下り構成及びＤ２Ｄリソース配置ストラテジーを取得するための取得ユニット５０１と、前記ＴＤＤ上り下り構成及び前記Ｄ２Ｄリソース配置ストラテジーに基づいてＤ２Ｄリソースの割当を行うためのＤ２Ｄリソース割当ユニット５０２と、割り当てられるＤ２Ｄリソースに基づいてＤ２Ｄ通信を行うための通信ユニット５０３とを含む。
【００４５】
また、取得ユニット５０１は、具体的に、セルの未検出を確定し且つ第２ユーザ機器からの同期信号を受信していないと、前記第１ユーザ機器に予め設定したＴＤＤ上り下り構成及び前記第１ユーザ機器に予め設定したＤ２Ｄリソース配置ストラテジーを取得する。又は、取得ユニット５０１は、具体的に、セルの未検出を確定し且つ第２ユーザ機器からの同期信号を受信し、且つ第１ユーザ機器からの同期信号のプライオリティが第２ユーザ機器からの同期信号より高くなると、前記第１ユーザ機器に予め設定したＴＤＤ上り下り構成及び前記第１ユーザ機器に予め設定したＤ２Ｄリソース配置ストラテジーを取得する。又は、取得ユニット５０１は、具体的に、セルの未検出を確定すると共に前記第２ユーザ機器からの同期信号を第１所定期間内に受信し、且つ前記第２ユーザ機器からの同期信号のプライオリティが前記第１ユーザ機器からの同期信号より高くなると、前記第１ユーザ機器が、進行中のＤ２Ｄ信号の送信を停止させ、前記第２ユーザ機器のＴＤＤ上り下り構成及びＤ２Ｄリソース配置ストラテジーを前記リソース配置用のＴＤＤ上り下り構成及びＤ２Ｄリソース配置ストラテジーとする。
【００４６】
また、前記Ｄ２Ｄリソース割当ユニット５０２は、前記第１ユーザ機器が、前記ＴＤＤ上り下り構成及び前記Ｄ２Ｄリソース配置ストラテジーに基づいて、Ｄ２Ｄ通信用の送信サブフレームが示される送信サブフレーム時間パターンを確定することと、前記第１ユーザ機器が、前記送信サブフレーム時間パターンに基づいてＤ２Ｄ送信リソースを確定することに用いられる。
【００４７】
また、前記通信ユニット５０３は、前記第１ユーザ機器が、割り当てられるＤ２Ｄリソースに基づいてＤ２Ｄ通信を行った後に、Ｄ２Ｄ通信利用承認済みのＴＤＤ周波数ポイントでセルを検出して駐留すると、進行中のＤ２Ｄ信号の送信を停止させ、前記第１ユーザ機器に予め設定したＴＤＤ上り下り構成及び前記第１ユーザ機器に予め設定したＤ２Ｄリソース配置ストラテジーを用いた送信を停止させることと、前記第１ユーザ機器が、駐留中セルのＴＤＤ上り下り構成及びセルのシステム放送メッセージから取得したＤ２Ｄリソースプールに基づいてＤ２Ｄリソースの割当を行い、割り当てられたＤ２Ｄリソースに基づいてＤ２Ｄ信号の送信を行うことに用いられる。
【００４８】
また、前記通信ユニット５０３は、駐留中の第１セルとは非同期であり、且つ第２所定期間中、Ｄ２Ｄ通信利用承認済みのＴＤＤ周波数ポイントで第２セルを検出して駐留すると、進行中のＤ２Ｄ信号の送信を停止させ、前記第１ユーザ機器に予め設定したＴＤＤ上り下り構成及びＤ２Ｄリソース配置ストラテジーを用いた送信を停止させ、前記第２セルのＴＤＤ上り下り構成及びセルのシステム放送メッセージから取得したＤ２Ｄリソースプールに基づいてＤ２Ｄリソースの割当を行い、割り当てられたＤ２Ｄリソースに基づいてＤ２Ｄ信号の送信を行うことに用いられる。
【００４９】
また、前記通信ユニット５０３は、前記第１ユーザ機器が、駐留中のセルとは非同期であり、且つ第２所定期間内に他セルの検出ができず、且つＤ２Ｄ通信利用承認済みのＴＤＤ周波数ポイントでの第３ユーザ機器からの同期信号を受信すると、進行中のＤ２Ｄ信号の送信を停止させ、前記第３ユーザ機器のＴＤＤ上り下り構成及びＤ２Ｄリソース配置ストラテジーを用いてＤ２Ｄリソースの割当を行い、割り当てられたＤ２Ｄリソースに基づいてＤ２Ｄ信号の送信を行うことに用いられる。
【００５０】
また、前記通信ユニット５０３は、前記第１ユーザ機器が、駐留中のセルとは非同期であり、且つ第２所定期間内に他セルの検出ができず、且つＤ２Ｄ通信利用承認済みのＴＤＤ周波数ポイントでの第３ユーザ機器から同期信号を受信していないと、第３所定期間後、前記第１ユーザ機器に予め設定したＴＤＤ上り下り構成及びＤ２Ｄリソース配置ストラテジーに基づいてＤ２Ｄリソースの割当を行い、割り当てられたＤ２Ｄリソースに基づいてＤ２Ｄ信号の通信を行うことに用いられる。
【００５１】
本発明の実施例の方法によれば、ユーザ機器は、いずれのセルの未検出を確定し且つ他ユーザ機器からの同期信号を受信していない場合、当該ユーザ機器に予め設定したＴＤＤ上り下り構成及び当該ユーザ機器に予め設定したＤ２Ｄリソース配置ストラテジーを取得する。この方法により、網外のユーザ機器は、ＴＤＤ搬送波において、当該ユーザ機器の通信時のフレーム構造タイプを明確化することができる。そして、ＴＤＤシステムに干渉を与えない場合、Ｄ２Ｄ通信の効率保証及びリソース競争の衝突確率をある程度低減できる。
【００５２】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式処理機又は他のプログラマブルデータ処理デバイスのプロセッサに提供して１つの機器を形成し、コンピュータ又は他のプログラマブルデータ処理デバイスのプロセッサに実行される指令により、フロー図の１つ又は複数のフロー及び／又はブロック図の１つ又は複数のブロックで指定される機能を実現するための装置を形成する。
【００５３】
これらのコンピュータプログラムコマンドは、コンピュータ又は他のプログラマブルデータ処理デバイスの特定の方式での動作を導けるコンピュータ読み出し可能メモリに格納されてもよく、当該コンピュータ読み出し可能メモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【００５４】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【００５５】
本発明の好ましい実施例を記載したが、当業者は、一度、創造性を持つ基本的概念を知ると、これらの実施例について別途に変更や修正をすることができる。従って、特許請求の範囲の請求項は、好ましい実施例、及び、本発明の範囲に属する全ての変更や修正を含むものであると解釈されることを意図とする。
【００５６】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図とする。
【図１】
0006494746.tif 000002
【図２】
0006494746.tif 000003
【図３】
0006494746.tif 000004
【図４】
0006494746.tif 000005
【図５】
0006494746.tif 000006